(57)【要約】【課題】  便器などの被清掃部を擦ったときに剛性を示して汚れの除去効果を高くでき、使用後には水洗トイレット内などに廃棄して短い時間で水解できる水解性の清掃用品を提供する。【解決手段】  清掃用品１は、紐体４を束ねて圧縮した繊維圧縮体で形成されている。紐体４は、パルプ繊維とレーヨン繊維などから成りウォータジェット処理でレーヨン繊維などが交絡した繊維交絡不織布を縒ることで形成されている。パルプ繊維により乾燥時に縒り形状を維持しやすくなり、水で濡れたときには、レーヨン繊維などの交絡力により紐体４の形状を維持でき、擦ったときの強度が高く、汚れを効果的に拭き取ることができる。繊維圧縮体で形成された清掃用品１は、ホルダ１２０の支持部１２２と押さえ部１２３とで挟持されて使用される。【選択図】図１
2006314617.tif 000002
【特許請求の範囲】
【請求項１】
水中で分散可能な水解性の清掃用品において、
水で分散可能な繊維が圧縮された繊維圧縮体を有することを特徴とする水解性の清掃用品。
【請求項２】
繊維圧縮体を構成する繊維は、水素結合、水溶性接着剤による接着、繊維交絡の少なくとも１つの手段で接合されている請求項１記載の水解性の清掃用品。
【請求項３】
前記繊維圧縮体を着脱自在に保持するホルダが設けられている請求項１または２記載の水解性の清掃用品。
【請求項４】
繊維圧縮体は、一部が圧縮部で他の一部が非圧縮部であり、圧縮部がホルダに保持される請求項３記載の水解性の清掃用品。
【請求項５】
水解性シートを縒った紐体が形成されており、複数の紐体が圧縮されて、前記繊維圧縮体が形成されている請求項１ないし４のいずれかに記載の水解性の清掃用品。
【請求項６】
複数の前記紐体が巻かれた後に圧縮されて、前記繊維圧縮体が形成されている請求項５記載の水解性の清掃用品。
【請求項７】
前記繊維圧縮体は、繊維が積層されてシート状またはブロック状に圧縮されたものである請求項１ないし４のいずれかに記載の水解性の清掃用品。
【請求項８】
水解性シートを縒った紐体が、前記シート状またはブロック状の繊維圧縮体と併用されている請求項７記載の水解性の清掃用品。
【請求項９】
紐体を形成する前記水解性シートは、繊維長が２０ｍｍ以下の繊維が交絡した繊維交絡不織布である請求項５、６、８のいずれかに記載の水解性の清掃用品。
【請求項１０】
紐体は、繊維長が２０ｍｍ以下の繊維が交絡した繊維交絡不織布と、セルロース系繊維で形成された水解紙とで形成されている請求項５，６，８，９のいずれかに記載の水解性の清掃用品。
【請求項１１】
前記シート状またはブロック状の繊維圧縮体が、水解性の外装シートに包まれている請求項８記載の水解性の清掃用品。
【請求項１２】
前記外装シートは、繊維長が２０ｍｍ以下の繊維が交絡した繊維交絡不織布である請求項１１記載の水解性の清掃用品。
【請求項１３】
前記繊維交絡不織布は、パルプ繊維と繊維長が２０ｍｍ以下の他の繊維で構成されている請求項９、１０、１２のいずれかに記載の水解性の清掃用品。
【発明の詳細な説明】
【技術分野】
【０００１】
本発明は、水洗トイレットなどの水を使用する場所で汚れを取るために使用され、使用後に水中に廃棄することが可能な水解性の清掃用品に関する。
【背景技術】
【０００２】
以下の特許文献１には、水洗トイレットの清掃に使用する使い捨てトイレ掃除ブラシに関する発明が開示されている。
【０００３】
このトイレ清掃ブラシは、木質パルプである短繊維とＣＭＣなどのバインダーで形成された紙を使用し、この紙に複数の切り込みを形成するとともにこの紙を巻いてブラシ状にしている。前記トイレ清掃ブラシは、紙製の持手部の先部に固定されている。前記トイレ清掃ブラシで便器を拭いた後に、トイレ清掃ブラシを持手部と共に水洗トイレットの中に廃棄し、水中で分解させるというものである。また、紙が溶解する時間を調整するために、ブラシ表面にワックス処理を施すことも記載されている。
【特許文献１】特開昭６２−１８６８３３号公報
【発明の開示】
【発明が解決しようとする課題】
【０００４】
前記特許文献１の明細書には、便器を清掃する時間は１０秒から２０秒程度の短時間であるため、トイレ清掃ブラシを構成する紙が水に溶ける前に清掃できるとの主旨の記載がある。
【０００５】
しかし、木質パルプを水溶性のＣＭＣで固定した紙そのもので形成されたトイレ清掃ブラシは、便器の清掃中に水に触れた時点で膨潤して強度が極端に低下するため、便器に付着した汚れを拭き落とすことは難しい。またブラシをワックス処理したものでは、ワックス成分が紙の分解を抑制するため、浄化槽内などでブラシが分解されるまでに長い時間を要するようになる。
【０００６】
また、切り込みを入れた紙を巻いて形成したトイレ清掃ブラシは、剛性が低いため、このブラシで便器などを擦ることが難しく、便器などに付着した汚れを効果的に除去できない。
【０００７】
本発明は上記従来の課題を解決するものであり、水洗トイレットの便器などに付着した汚れを効果的に拭き取ることが可能な水解性の清掃用品を提供することを目的としている。
【０００８】
また本発明は、便器などを擦ったときの強度が高く、汚れの除去効果を有効に発揮でき、しかも使用後は比較的短時間のうちに水中で分散できる水解性の清掃用品を提供することを目的としている。
【課題を解決するための手段】
【０００９】
本発明は、水中で分散可能な水解性の清掃用品において、
水で分散可能な繊維が圧縮された繊維圧縮体を有することを特徴とするものである。
【００１０】
本発明の水解性の清掃用品に使用されている繊維圧縮体は剛性が高いため、この繊維圧縮体を便器などの被清掃部に擦りつけることで被清掃部の汚れを効果的に除去できる。また繊維圧縮体は、水で分散可能な繊維の集合体であるため、多量の水が与えられたときには繊維が水中でばらばらに分散できる。
【００１１】
なお、繊維圧縮体を構成する繊維は、水素結合、水溶性接着剤による接着、繊維交絡の少なくとも１つの手段で接合されている。
【００１２】
また本発明は、前記繊維圧縮体を着脱自在に保持するホルダが設けられているものである。
【００１３】
ホルダで清掃用品の保持部を保持し、清掃部で拭き取り清掃を行った後に、清掃用品をホルダから外して水洗トイレット内などに廃棄することにより、使用後の清掃用品に手を触れることなく簡単に廃棄することができる。水中に廃棄されるのが清掃用品のみであるため、この清掃用品が水中内で短時間で分解される。
【００１４】
本発明は、例えば繊維圧縮体が、一部が圧縮部で他の一部が非圧縮部であり、圧縮部がホルダに保持されて使用される。
【００１５】
この構成では、便器などの被清掃部を非圧縮部により清掃できるため、被清掃部への当たりが柔軟であり、非圧縮部により広い範囲を効果的に清掃できる。しかも保持部側が圧縮部であるため、全体として剛性が高く、清掃中に腰が弱くなることもなく、清掃感触が良好になる。
【００１６】
本発明は、水解性シートを縒った紐体が形成されており、複数の紐体が圧縮されて、前記繊維圧縮体が形成されているものである。
【００１７】
例えば、複数の前記紐体が巻かれた後に圧縮されて、前記繊維圧縮体が形成されている。
【００１８】
複数の紐体を圧縮した繊維圧縮体を使用すると、清掃時に水で濡れたときに、個々の紐体に分離し、個々の紐体が汚れ除去に寄与するため、広い範囲を効果的に清掃できる。
【００１９】
あるいは本発明は、前記繊維圧縮体は、繊維が積層されてシート状またはブロック状に圧縮されたものである。
【００２０】
この場合に、水解性シートを縒った紐体が、前記シート状またはブロック状の繊維圧縮体と併用されていることが好ましい。
【００２１】
この構成では、シート状またはブロック状の繊維圧縮体で、便器などにこびりついた汚れを除去でき、紐体が柔軟に変形して広い範囲で汚れを除去する効果を発揮できる。
【００２２】
例えば、紐体を形成する前記水解性シートは、繊維長が２０ｍｍ以下の繊維が交絡した繊維交絡不織布である。
【００２３】
繊維交絡不織布で紐体を形成すると、紐体の表面強度を高くでき、清掃時に破れにくくなる。
【００２４】
好ましくは、前記紐体は、繊維長が２０ｍｍ以下の繊維が交絡した繊維交絡不織布と、セルロース系繊維で形成された水解紙とで形成されている。
【００２５】
繊維交絡不織布と水解紙とを一緒に縒って紐体を形成すると、水解紙の繊維の水素結合力により、乾燥時において縒った形状を維持しやすい。また、水が与えられて紙に弛みが生じたときは、不織布の繊維交絡により強度を保つことができる。
【００２６】
また本発明は、前記シート状またはブロック状の繊維圧縮体が、水解性の外装シートに包まれているものであってもよい。
【００２７】
この構成では、水解性の外装シートによって被清掃部が拭かれて汚れが除去されるが、芯材として繊維圧縮体が設けられているため、水で濡れたときに清掃用品が軟質化したりへたるのを抑制できる。
【００２８】
この場合も、前記外装シートは、繊維長が２０ｍｍ以下の繊維が交絡した繊維交絡不織布であることが好ましい。
【００２９】
例えば、前記繊維交絡不織布は、パルプ繊維と繊維長が２０ｍｍ以下の他の繊維で構成されているものである。
【発明の効果】
【００３０】
本発明の水解性の清掃用品は、強度の高い繊維圧縮体を用いているので、便器などを擦ったときに、破れたり形状が崩れたりせず、汚れを効果的に落とすことができる。しかも使用後に水中に廃棄すると、圧縮状態から繊維が弛み、比較的短い時間で水解しやすくなる。
【発明を実施するための最良の形態】
【００３１】
図１は本発明の水解性の清掃用品がホルダに保持された状態を示す斜視図、図２ないし図４は、図１に示すホルダに保持されている第１の実施の形態の水解性の清掃用品の製造工程を順に示す斜視図、図５ないし図１４は、水解性の清掃用品の他の実施の形態を示す斜視図、図１５（Ａ）（Ｂ）（Ｃ）は紐体を構成する縒り紐を構造別に示す説明図である。
【００３２】
図４は本発明の第１の実施の形態の水解性の清掃用品１を示している。この清掃用品１は、保持側端部２と清掃側端部３を有している。
【００３３】
図１に示すホルダ１２０は、合成樹脂製の柄部１２１の先部に支持部１２２が一体に形成され、この支持部１２２に対向する合成樹脂製の押さえ部１２３が設けられている。支持部１２２は支持面が平坦面であり、押さえ部１２３も支持部１２２に対向する内面が平坦面であり、押さえ部１２３は支持部１２２に平行に対面している。押さえ部１２３にはレバー１２４が一体に形成されており、このレバー１２４が、柄部１２１に形成されたブラケット１２１ａに、軸１２５を介して回動自在に支持されている。前記レバー１２４の上部には操作ワイヤ１２６が回動自在に連結されている。
【００３４】
前記軸１２５にはトーションスプリング（図示省略）が設けられ、このトーションスプリングによって、レバー１２４が軸１２５を支点として時計方向へ付勢され、押さえ部１２３が支持部１２２に接近する方向へ付勢されている。柄部１２１の上部にはハンドル部が設けられ、このハンドル部に操作レバーが設けられている。前記操作ワイヤ１２６は太い針金線でありその上端が前記操作レバーに連結されている。操作レバーを引き上げると、レバー１２４が回動して押さえ部１２３が支持部１２２から離れる。このとき、清掃用品１の保持側端部２を支持部１２２と押さえ部１２３との間に入れ、操作レバーを離すと、前記トーションスプリングの付勢力により、支持部１２２と押さえ部１２３との間で清掃用品１の保持側端部２が挟持される。
【００３５】
清掃用品１がホルダ１２０に保持された状態で、清掃用品１の清掃側端部３で便器などの被清掃部を擦ることにより、便器などの表面に付着した汚れを取ることができる。このとき便器内に溜まっている水で清掃用品１を濡らして拭き取りを行うことも可能である。清掃作業が終了したら、前記操作レバーを持ち上げ、押さえ部１２３による押さえ力を解除することで、清掃用品１に手を触れることなく、この清掃用品１を便器内に廃棄することができる。
【００３６】
図４に示す清掃用品１は、水に分散可能な繊維で形成された複数の紐体４が束ねられて圧縮された繊維圧縮体１１で構成されている。図２ないし図４に基づいて清掃用品１の製造方法を説明する。
【００３７】
図２（Ａ）に示すように１本の紐体４あるいは複数の紐体４を巻いて筒状体１０を形成する。このとき図２（Ｂ）に示すように、中心線Ｏと半径Ｒが直交する仮想円ＨＣを設定したときに、その半径方向が前記半径Ｒに対して反時計方向へθ１だけ傾いた巻き方向αに沿って紐体を複数回巻く。その後に、その半径方向が前記半径Ｒに対して時計方向へθ２だけ傾いた巻き方向βに沿って複数回巻く。α方向への複数回巻きとβ方向への複数回巻きを繰り返すことによって図２（Ａ）に示す筒状体１０が得られる。この筒状体１０を構成する紐体は互いに交叉する状態で巻かれている。
【００３８】
図２（Ａ）に示す筒状体１０をプレス機によって、直径方向に潰す力Ｆを与えて圧縮して繊維圧縮体１１を得る。このときの圧力は２０００〜６０００ｋＰａ程度であり、例えば３９２０ｋＰａ（４０ｋｇｆ／ｃｍ２）である。圧縮時間は１〜５秒程度である。このときの加圧は常温で行う。あるいは加熱して加圧してもよい。圧縮後の繊維圧縮体１１は、紐体４を構成する繊維の機械的な集合力および水素結合力により圧縮状態を維持する。水素結合力で繊維を結合させるためには、紐体４を構成する繊維として、繊維表面に水酸基を有する天然繊維または再生セルロース繊維を用いることが好ましい。また、水素結合力を高めるために、筒状体１０に水分をスプレー等で与えてから加熱して圧縮してもよい。また、ポリビニルアルコール（ＰＶＡ）やポリアクリル酸（ＰＡＡ）あるいはカルボキシメチルセルロース（ＣＭＣ）などの水溶性バインダーで紐体４どうしを接着させて乾燥強度を高めることも可能である。
【００３９】
図３に示す繊維圧縮体１１は、筒状体１０を直径方向へ潰して圧縮しているため、両端部に、紐体４のループ部４ａが潰された状態で露出している。図３に示す繊維圧縮体１１をそのまま水解性の清掃用品として使用することが可能であるが、この実施の形態では、繊維圧縮体１１を巻きの中心線Ｏの位置で１／２の大きさに切断して、図４に示す清掃用品１を２個製造する。図４に示す清掃用品１は、保持側端部２に複数の紐体４の切断端面４ｂが現れ、清掃側端部３に複数の前記ループ部４ａが潰された状態で現れている。
【００４０】
前記紐体４は水解性シートを図１５（Ａ）に示すように一方向へ捻って縒って高密度に構成したものである。水解性シートは繊維長が２０ｍｍ以下の繊維で構成され、水洗トイレット内や浄化槽内で多量の水が与えられたときに短時間のうちに繊維どうしがばらばらに分散できるものである。水解性シートは、パルプ繊維のみを抄紙して水素結合力により繊維間が接合されたもの、あるいはパルプ繊維とレーヨン繊維とが一緒に抄紙されて水素結合力により繊維間が接合された水解紙である。あるいは、ポリビニルアルコール（ＰＶＡ）やポリアクリル酸（ＰＡＡ）あるいはカルボキシメチルセルロース（ＣＭＣ）などの水溶性バインダーで繊維どうしを接着した水解紙も使用できる。
【００４１】
これら水解紙を縒った状態で、水素結合力により紐体４の形態を維持できるようにし、または水解紙を縒った後に前記水溶性バインダーを与えて、紐体４の形態を維持できるようにする。
【００４２】
また、パルプ繊維に耐水処理を施して親水度をやや低下させ、このパルプ繊維を水溶性バインダーで接合した水解性シートも使用できる。この水解性シートで形成された紐体４は、清掃時に水に濡れても紐の形態を保ちやすくなる。
【００４３】
図１５（Ａ）（Ｂ）（Ｃ）は、前記紐体４を形成するための縒り紐４Ａ，４Ｂ，４Ｃのさらに好ましい例を構造別に示している。清掃用品１に使用される紐体４は、縒り紐４Ａ，４Ｂ，４Ｃのいずれか１種で構成される。あるいは清掃用品１の紐体４として、縒り紐４Ａ，４Ｂ，４Ｃを２種類以上組み合わせて使用してもよい。
【００４４】
図１５（Ａ）に示す縒り紐４Ａは、所定幅（例えば幅寸法が２０〜１００ｍｍ）の帯状の水解性シート８を一方向へ捻り加工して縒ったものである。
【００４５】
縒り紐４Ａの湿潤時の強度を保つために、水解性シート８は、水解性の繊維交絡不織布である。水解性の繊維交絡不織布は、繊維長が２０ｍｍ以下の繊維をメッシュ状などの多孔板のコンベア上に積層し、ウォータジェット処理で繊維間を交絡させることで形成できる。
【００４６】
前記繊維交絡不織布は、例えば繊維長が２０ｍｍ以下でウォータジェットで交絡可能な繊維と、パルプ繊維とで構成される。パルプ繊維と、繊維長が２０ｍｍ以下の他の繊維とで不織布を構成すると、ウォータジェット処理で前記他の繊維が交絡するとともに、パルプ繊維どうしおよびパルプ繊維と前記他の繊維とが水素結合する。この繊維交絡不織布は、パルプ繊維の水素結合力により乾燥時の強度を高く維持でき且つ縒り形状を維持できる。また湿潤時には、前記他の繊維どうしの交絡力により表面強度を高く維持できる。水中に廃棄されて多量の水が与えられると、パルプ繊維が分離することで紐体の縒りが弛んで前記他の繊維の交絡が弛みやすくなるため、比較的短い時間で繊維どうしがばらばらになる。
【００４７】
繊維長が２０ｍｍ以下で且つウォータジェット処理で交絡可能な他の繊維としては、生分解性の繊維が好ましく、ビスコースレーヨン、溶剤紡糸レーヨン、ポリノジックレーヨン、銅アンモニアレーヨン、アルギン酸レーヨンなどの再生セルロース繊維を使用することが好ましい。繊維長が２０ｍｍ以下で且つウォータジェット処理で交絡する他の繊維としては、ポリエチレンテレフタレート（ＰＥＴ）繊維、ナイロン繊維、ポリプロピレン（ＰＰ）繊維などの合成樹脂繊維を使用することも可能である。
【００４８】
また、パルプ繊維に加え、あるいはパルプ繊維に代わるものとして、麻、綿などの天然繊維、バガス、バナナ、パイナップル、竹その他の天然繊維を含ませてもよい。
【００４９】
さらに、水溶性樹脂であるポリビニルアルコール（ＰＶＡ）繊維や、水溶性あるいは水膨潤性のカルボキシメチルセルロース（ＣＭＣ）をバインダーとして加えて、乾燥時の強度を高め、且つ縒られた形状を維持しやすくしてもよい。または、繊維長が３〜７ｍｍ程度のレーヨンを叩解して表面に繊維長が１ｍｍ以下の多数のマイクロファイバーが剥離形成されたフィブリル化レーヨンを使用し、繊維長が２０ｍｍ以下の繊維とこのフィブリル化レーヨンを湿式で抄紙し、その後にウォータジェット処理を施した繊維交絡不織布も使用できる。この不織布は、繊維長が２０ｍｍ以下の繊維が交絡するとともに、フィブリル化レーヨンの水素結合力で繊維が固定されるため、乾燥状態と湿潤状態での強度を高くでき、特に乾燥時の強度が高いため、強く捻った紐形状を維持しやすくなる。
【００５０】
縒り紐４Ａを形成する繊維交絡不織布は、パルプ繊維などの天然繊維を１０質量％以上含み、さらにレーヨン繊維などのようにウォータジェット処理で交絡可能な繊維長が２０ｍｍ以下の他の繊維を１０質量％以上含むことが好ましい。天然繊維を１０質量％以上含むことにより、強く捻って縒り紐を構成するときの水素結合力を強くでき、また交絡する繊維が１０質量％以上含まれることにより、湿潤時の強度を高くできる。
【００５１】
繊維交絡不織布で形成された水解性シート８は、目付けが３０ｇ／ｍ２以上で１２０ｇ／ｍ２以下であることが好ましく、シート厚みは０．１ｍｍ以上で０．５ｍｍ以下であることが好ましい。
【００５２】
図１５（Ａ）では、繊維交絡不織布である水解性シート８を１枚用いて縒り紐４Ａを形成しているが、この水解性シート８を複数枚重ねて縒り紐を形成してもよい。図４に示す清掃用品１に使用される個々の紐体４を太いものとし清掃時の強度を高くするためには、１枚の水解性シート８の目付けおよび厚みを増大させればよいが、１枚の水解性シート８の目付けと厚みを増大させすぎると、捻り工程において縒りにくくなり、水解性シート８の水解時間も長くなる。したがって、この場合、複数枚の水解性シート８を使用して縒り紐４Ａを形成すると、縒り紐を太く剛性の高いものにでき、しかも多量の水が与えられ縒りが弛んだときに、個々の水解性シート８に分離されさらに水解しやすくなる。
【００５３】
図１５（Ｂ）に示す縒り紐４Ｂは、繊維交絡不織布である前記水解性シート８と、水解紙９とを重ねて、水解性シート８と水解紙９を一緒に縒ることで形成されている。水解紙９は、パルプ繊維などの天然繊維を抄紙し、またはパルプ繊維などの天然繊維と、レーヨン繊維などの再生セルロース繊維とを抄紙して繊維どうしの水素結合力で強度を発揮させるものである。
【００５４】
水解性シート８と水解紙９とを重ねて一緒に縒ると、繊維交絡不織布である水解性シート８の強度が高いために、強くしっかり捻って縒ることができる。縒った後は、水解紙９を構成する繊維の水素結合力および繊維間の機械的結合力により、乾燥時において縒った形状を維持できるようになる。よって、密度の高い縒り紐４Ｂを容易に加工し、その形状を維持することができる。高密度な縒り紐４Ｂで、図４に示す清掃用品１の紐体４を形成すると、少量の水分を含んだ状態においても、剛性の高い紐体４で便器などの表面に付着した汚れを掻き取ることができる。また水洗トイレット内などに廃棄して多量の水が与えられると、水解紙９を構成する繊維が弛んで縒り状態が弛みはじめ、これをきっかけとして水解性シート８も弛むようになる。
【００５５】
水解性シート８と水解紙９を組み合わせて縒ると、縒り紐４Ｂの表面に多くの凹凸を形成できるようになり、汚れを除去する効果を高くできる。なお、縒り紐４Ｂは、水解性シート８と水解紙９の少なくとも一方を複数枚用いて構成してもよい。
【００５６】
図１５（Ｂ）に示す縒り紐４Ｂは、水解紙９が青色や赤色など白色以外の色に着色されている。繊維交絡不織布である水解性シート８は白色繊維で形成されている。水解性シート８と水解紙９を重ねて縒ることにより、着色部と白色部が交互に位置するようになり、外観が良好になる。
【００５７】
図１５（Ｂ）に示す縒り紐４Ｂを加工するときに、前記水解紙９の代わりにエアーレイド不織布を使用することができる。エアーレイド不織布は、パルプ繊維をエアーレイド法で積層して繊維ウエッブを形成し、ＰＶＡなどの水溶性バインダーで繊維間を接着したものである。このエアーレイド不織布は、繊維密度が０．０４〜０．７００ｇ／ｃｍ３程度の低密度で厚みが０．３〜５ｍｍ程度の嵩高である。また水中において短時間で分解可能である。このエアーレイド不織布はクッション性を有しているため、エアーレイド不織布と繊維交絡不織布である水解性シート８とを一緒に捻り加工することにより、弾力性のある縒り紐を得ることができる。
【００５８】
図１５（Ｃ）に示す縒り紐４Ｃは、１枚の水解紙９または複数枚の水解紙９あるいは前記エアーレイド不織布もしくは水解紙９とエアーレイド不織布を重ねて縒って芯部を形成し、この芯部の周囲に、繊維交絡不織布である水解性シート８を巻きつけながらさらに縒ったものである。この縒り紐４Ｃは、芯部が強い水素結合力を発揮して捻った状態を維持して高密度である。芯部の周囲に湿潤強度の高い水解性シート８が巻き付けられているため、紐体４の表面強度を高くでき、濡れた状態で拭き取りを行ったときに紐体４の形状を維持しやすい。また多量の水が与えられると、芯部を構成する水解紙９またはエアーレイド不織布が分解し、これをきっかけとして水解性シート８の縒れが弛んで、短時間で水解できるようになる。
【００５９】
前記縒り紐４Ａ，４Ｂ，４Ｃの縒り回数は、縒り紐を形成する水解性シートの長さ２５０ｍｍ当たり４〜３０回が好ましい。前記回数よりも少ないと、密度が低くなりすぎて、拭き取り作業時の摩擦力に耐えることができず、破れやすくなる。また前記回数を超えると、縒り作業中にシートに負荷が作用し、切断するおそれがある。また縒り紐４Ａ，４Ｂ，４Ｃの太さは１〜１０ｍｍが好ましい。この範囲であれば、紐体４で拭いたときの感触が良好であり、水洗トイレットなどに廃棄したときに、配管内に詰まることなく廃棄しやすくなる。
【００６０】
この清掃用品１は、使用時に保持側端部２が、図１に示すホルダ１２０の支持部１２２と押さえ部１２３とで保持されて使用される。清掃用品１は、繊維圧縮体１１で形成され、乾燥時に紐体４が分離することがない。清掃用品１をホルダ１２０に保持させた後に清掃用品１が水で濡れても、この時点で清掃用品１が支持部１２２と押さえ部１２３とで挟持されているため、清掃中に保持側端部２において紐体４が分離することがない。図４に示す清掃用品１は、中心線Ｏでの切断面に対して紐体４が斜めに延び、紐体４どうしが交叉した状態で圧縮されているため、全体として剛性が高くなり、清掃側端部３を便器などの被清掃部に強く擦りつけることができ、清掃側端部３によって被清掃部の汚れを取り去ることができる。
【００６１】
清掃用品１の清掃側端部３には、紐体４のループ部４ａが多数存在し、清掃側端部３に紐体４の切断端面４ｂが現れていないため、清掃側端部３が水で濡れても、紐体４が過剰に弛むのを防止できる。便器などの被清掃部を拭いているときに、比較的多くの水が与えられると、圧縮状態が緩和され、ループ部４ａが互いに独立して被清掃部を摺動し、個々のループ部４ａによって、被清掃部を広い範囲で清掃することができる。
【００６２】
図２に示す筒状体１０は長い紐体４を巻き付けて形成しているため、筒状体１０を形成する工程において紐体４の縒りが弛むことが生じにくい。また筒状体１０を形成した後に圧縮して繊維圧縮体１１としているため、清掃用品として流通し保管する間に、紐体４の縒りが弛むのを防止できる。図３に示す繊維圧縮体１１を半分に切断して個々の清掃用品１を形成しているため、この清掃用品１では、紐体４は複数の単位に分断されている。個々の紐体４の単位の長さは、清掃用品１の保持側端部２から清掃側端部３までの長さの２倍程度である。そのため、使用後に水洗トイレット内に廃棄されると、多量の水により圧縮状態が弛み、さらに個々の紐体４の単位ごとに分散しやすくなる。そして分散後に個々の紐体４が水解する。
【００６３】
清掃用品１の保持側端部２から清掃側端部３までの長さ寸法は、２０〜１００ｍｍ程度であるが、これに限定されるものではない。
【００６４】
個々の単位に分散した紐体４の水解時間は、１本の紐体４の長さを１００ｍｍとし、ＪＩＳ  Ｐ４５０１（トイレットペーパほぐれやすさ試験）に準じて測定したときに、７００秒以下であることが好ましく、さらに好ましくは６００秒以下である。またさらに好ましくは３００秒以下である。前記測定は、容量が３００ミリリットルのビーカーに、水温が２０±５℃のイオン交換水を３００ミリリットル入れ、紐体４をイオン交換水内に投入してから、水中で回転子を６００ｒｐｍの回転数で回転させてイオン交換水と共に紐体を攪拌したときに、紐体の形態が無くなりさらにシート状の形態も残らず、構成繊維ごとに分散されるまでの時間を測定したものである。
【００６５】
図５（Ａ）（Ｂ）は本発明の第２の実施の形態の水解性の清掃用品２２の製造方法を示す斜視図である。
【００６６】
図５（Ａ）に示す繊維圧縮体２１は、図２（Ａ）に示す筒状体１０を中心線Ｏに沿う方向の力Ｆｖによって圧縮成形したものである。この圧縮時の条件は、図３に示した繊維圧縮体１１を成形するときと同じである。
【００６７】
図５（Ａ）に示す繊維圧縮体２１をそのままホルダ１２０に保持させて清掃用品として使用することが可能である。ただし、図５（Ｂ）に示す清掃用品２２は、図５（Ａ）に示す繊維圧縮体２１を切断して形成されている。このとき、図５（Ａ）に示す繊維圧縮体２１を２等分してもよいし、３等分して中心線Ｏを中心とする１２０度の角度範囲のものを個々の清掃用品２２としてもよい。あるいは４等分して中心線Ｏを中心とする９０度の角度範囲のものを個々の清掃用品２２としてもよい。
【００６８】
この清掃用品２２は、紐体４の切断端面４ｂが現れている部分が保持側端部２３として使用され、ほぼ円周形状に沿って紐体４のループ部４ｃが現れている部分が清掃側端部２４として使用される。
【００６９】
この清掃用品２２も、図２（Ａ）に示すように紐体４を巻いて筒状体１０とし、図５（Ａ）に示すように筒状体１０を圧縮する工程を経て形成されるため、製造中に紐体４の縒りが弛みにくく、また流通や保管のときにも紐体４の縒りが弛みにくい。図５（Ｂ）に示す清掃用品２２は、紐体４が短い寸法の複数の単位に切断されているため、水洗トイレットに流すなどして多量の水が与えられたときに個々の紐体４に分離し、さらに個々の紐体４の縒りが弛んで水中で繊維が分散する。
【００７０】
図６は本発明の第３の実施の形態の水解性の清掃用品３１を示す斜視図である。
この清掃用品３１は、所定長さの前記紐体４をその長さ寸法の中点で折り返して２つ折りとし、折曲部４ｄを一方向へ向けて複数本の紐体４を揃えて束ね、この紐体４の束を圧縮したものである。このときの圧縮条件は、図３に示した繊維圧縮体１１および図５（Ａ）に示した繊維圧縮体２１を製造するのと同じである。
【００７１】
図６に示す清掃用品３１は、紐体４の切断端面４ｇを揃えた側が保持側端部３２であり、折曲部４ｄを揃えた側が清掃側端部３３である。前記保持側端部３２を含む所定長さの範囲で紐体４の束が圧縮されて圧縮部３４が形成されており、清掃側端部３３を含む所定長さの範囲は、紐体４が圧縮されていない非圧縮部３５となっている。前記圧縮部３４が保持部として利用され、図１に示すホルダ１２０の支持部１２２と押さえ部１２３との間に挟持される。
【００７２】
圧縮部３４において、個々の紐体４が圧縮されて固定されているため、保管時や運搬時などにおいて、乾燥状態の清掃用品３１がばらばらに分解することがなく、常に形状を維持できる。圧縮部３４が支持部１２２と押さえ部材１２３とで保持されるため、使用時に水が与えられて、圧縮部３４の圧縮が弛んでも、清掃用品３１の形態を維持できる。清掃側端部３３では、個々の紐体４の折曲部４ｄが自由状態であるため、この折曲部４ｄが独立して自由に動くことにより、被清掃部の広い範囲を効果的に清掃することができる。
【００７３】
使用後に水洗トイレット内に廃棄して多量の水が与えられると、清掃用品３１は個々の紐体４に分離され、さらに紐体４の縒りが弛んでさらに繊維がばらばらになって分解される。
【００７４】
なお、図６の清掃用品３１においてその全体を圧縮して圧縮部としてもよい。また、図４に示した清掃用品１と図５（Ｂ）に示した清掃用品２２においても、保持側端部２，２３を含む所定の長さの領域を圧縮部とし、清掃側端部３，２４を非圧縮部としてもよい。
【００７５】
また、前記各実施の形態において、清掃用品の保持側端部の所定範囲を、水解紙または水溶性フィルムで巻いて保持部を形成してもよい。
【００７６】
図７ないし図９に示す実施の形態の水解性の清掃用品は、所定の体積を有するブロック状の繊維圧縮体４０を有している。この繊維圧縮体４０は、繊維長が２０ｍｍ以下の水中で分散可能な繊維の集合体を圧縮して高密度化したものである。繊維圧縮体４０を構成する繊維としては、パルプ繊維などの天然繊維やレーヨン繊維などの再生セルロース繊維が使用される。これら繊維を圧縮すると、圧縮された繊維間の機械的結合力および水素結合力により乾燥時においてブロック形状を維持できる。または、繊維間を水溶性の接着剤で固定してもよい。この場合、ＰＥＴ繊維、ＰＰ繊維、ＰＥ繊維、ナイロン繊維などの合成樹脂繊維を含ませることも可能である。好ましくは、繊維圧縮体４０は生分解性繊維のみで形成される。
【００７７】
例えば繊維圧縮体４０は、パルプ繊維のみでブロック状に成形されたものである。その製法は、パルプ繊維を水中に分散させ、円筒形などを形成できるようにしたもので且つ底部に水きり用の多孔部が形成された凹状の型内にパルプ繊維を流し込み、脱水して加熱乾燥させたものである。または、前記型内に、あるいは他の形状の加圧用の押し型内に前記パルプ繊維を供給し、脱水後にまたは脱水しながらプレス機で加圧圧縮し、乾燥させたものである。
【００７８】
または、パルプ繊維と増粘剤および水溶性の接着剤を混合したスラッジ状の原料を、スクリュー押し出し機で押し、その後に脱水して加熱乾燥させたものであってもよい。この押し出し成形では、円柱形状の繊維圧縮体が形成される。また所定の形状のキャビティを有する成形型内にスクリュー押し出し機でスラッジ状の原料を押し出して射出成形することにより、任意の立体形状の繊維圧縮体を得ることができる。
【００７９】
繊維圧縮体４０をプレス機で加圧する場合、その加圧条件は図３に示す繊維圧縮体１１と同じである。
【００８０】
個々の繊維圧縮体４０は繊維長が２０ｍｍ以下の繊維で、好ましくはパルプ繊維などで形成されているため、水洗トイレット内などに廃棄されたときに、比較的短い時間で繊維をばらばらに分解できる。よって繊維圧縮体の大きさは清掃用品の形状に応じて任意に設定できる。ただし、水中において繊維圧縮体４０が短時間で分解できるためには、繊維圧縮体４０がその自重の３００％の水分を含んだときに、繊維圧縮体４０の体積が２倍以上に膨潤することが好ましい。また１個の繊維圧縮体４０が水解する時間（測定方法は前述の通り）は、７００秒以下であることが好ましく、さらには６００秒以下が好ましく、さらに好ましくは３００秒以下である。また、繊維圧縮体４０の質量は２０ｇ以下が好ましい。２０ｇは、トイレットペーパ９ｍ分に相当し、通常の水洗トイレットにおいて、配管の詰まりが生じにくい範囲である。
【００８１】
さらに繊維圧縮体を円筒形状、すなわち中心線に沿って貫通穴が形成された形状のように、ブロック内に中空部を形成しておくと、水洗トイレット内に廃棄されたときに分解を早めることができる。
【００８２】
また、ブロック状の繊維圧縮体４０の内部に、洗浄剤、研磨剤、抗菌剤、香料などを含ませておくと、この繊維圧縮体４０を用いた際の洗浄効果を高めることができる。
【００８３】
図７ないし図９に示す清掃用品には、前記繊維圧縮体４０と紐体４が使用されている。紐体４は、図１５（Ａ）（Ｂ）（Ｃ）に示す縒り紐４Ａ，４Ｂ，４Ｃのいずれか１種で構成されまたは２種以上が組み合わされて構成される。紐体４は前記縒り紐を圧縮せずに使用している。ただし、図７ないし図９の実施の形態において、紐体４として、縒り紐を圧縮し繊維圧縮体としたものを使用してもよい。
【００８４】
図７に示す第４の実施の形態の水解性の清掃用品４１は、円柱形のブロック状の繊維圧縮体４０の周囲に所定寸法に切断された複数の前記紐体４が配置され、基部において、それぞれの紐体４が水溶性接着剤によって繊維圧縮体４０の周面に接着されている。さらに基部において、紐体４の外周に水解性のシートで形成された保持材４４が巻かれて水溶性接着剤で接着されている。
【００８５】
前記保持材４４が巻かれている部分が保持部４２であり、それよりも先の部分が清掃部４３である。この清掃用品４１を保持するホルダは、図１に示す支持部１２２と押さえ部１２３が平面形状ではなく、支持部１２２と押さえ部１２３の対向面が円筒形状であり、前記保持部４２が円筒形の支持部１２２と押さえ部１２３とで挟持される。清掃用品４１の保持部４２は、ホルダに保持されるまで円筒形状を保持できる程度の強度を発揮できればよい。ホルダに保持された後に、水で保持材４４の保持力が弱くなっても前記支持部１２２と押さえ部１２３とで清掃用品４１が保持されているため、清掃中に清掃用品４１の形状が崩れることはない。
【００８６】
使用後に水中に廃棄されたときには、まず保持材４４を有する保持部４２での形状が崩れ、繊維圧縮体４０と紐体４とが水中に分離する。その後に、分離された繊維圧縮体４０と紐体４とが個別に水解していく。水中に廃棄されるときわめて短時間のうちに、繊維圧縮体４０と紐体４とが互いに分離され、水洗トイレットの洗浄水で流されるため、配管内での詰まりが生じにくい。
【００８７】
清掃部４３では中心に繊維圧縮体４０が位置し、その周囲に紐体４が位置し、紐体４の切断端面４ｅが清掃部４３の先に向けられている。便器などの被清掃部に繊維圧縮体４０を擦りつけると、水分により繊維圧縮体４０が膨張してもブロック形状を維持し、さらに水分を吸収した繊維圧縮体４０が軟質でクッション性を発揮できる。よって被清掃部に付着した汚れを効果的に除去でき、また被清掃部への当たりもソフトである。また繊維圧縮体４０の周囲に位置する紐体４が周囲に広がり、被清掃部の広い範囲を隅々まで清掃できる。
【００８８】
図８に示す第５の実施の形態の水解性の清掃用品５１は、清掃部５３において、繊維圧縮体４０の周囲に紐体４が位置しているが、この紐体４は折り曲げられその折曲部４ｆが清掃部５３の先端に向けられている。また保持部５２において、繊維圧縮体４０の周囲に紐体４の基部が水溶性接着剤で接着され、周囲に保持材４４が巻かれて接着されている。紐体４は清掃部５３の先部に折曲部４ｆが向けられ、図７のように清掃部の先部に紐体４の切断端面４ｅが向けられていないため、折曲部４ｆが水を吸収しても、紐体４の縒りが弛みにくい。この清掃用品５１を保持するホルダは、図１に示す支持部１２２と押さえ部１２３が平面形状ではなく、支持部１２２と押さえ部１２３の対向面が円筒形状であり、前記保持部５２が円筒形の支持部１２２と押さえ部１２３とで挟持される。
【００８９】
図９に示す第６の実施の形態の水解性の清掃用品６１は、複数の紐体４でループ部４ｈを形成し、紐体４の切断端面４ｇを揃えている。保持部６２では、紐体４どうしが水溶性接着剤で接着され、さらに外側に保持材４４が巻かれて水溶性接着剤で接着されている。それぞれの紐体４の内部に円柱状または円筒状の水解性の繊維圧縮体４０が挿入されて、繊維圧縮体４０とそれぞれの紐体４とが水溶性接着剤で接着固定されている。
【００９０】
この清掃用品６１は、紐体４のループ部４ｈを被清掃部に押し付けて清掃するときに、繊維圧縮体４０が芯材としてサポートするため、紐体４のループ部４ｈを被清掃部に強く押し付けて、汚れを除去することが可能になる。また、繊維圧縮体４０が水分を吸収すると膨張して弾性体となるため、ループ部４ｈが被清掃部に適度な圧力で摺動するようになる。
【００９１】
図１０は本発明の第７の実施の形態の水解性の清掃用品７１を示す斜視図である。
この清掃用品７１に設けられた繊維圧縮体７０は、前記射出成形法などで形成されたものであり、対向する斜面７０ａ，７０ａを有する三角柱部分の上部に所定幅寸法の保持部７０ｂが一体に形成されている。それぞれの斜面７０ａ，７０ａには、複数の紐体４が水溶性接着剤で接着されている。紐体４は切断端面４ｇが上に向けられて揃えられ、下側に折曲部４ｆが揃えられている。折曲部４ｆは繊維圧縮体７０の底面７０ｃよりも下に突出し、折曲部４ｆは互いに自由状態である。
【００９２】
この清掃用品７１は、保持部７０ｂが、図１に示すホルダ１２０の支持部１２２と押さえ部１２３とで挟持されて保持される。繊維圧縮体７０の底面７０ｃを便器などの被清掃部に押し付けて擦ることにより被清掃部の汚れを除去することができ、また紐体４の折曲部４ｆが被清掃部に接して広がるため、広い範囲を隅々まで清掃することができる。
【００９３】
図１１（Ａ）は本発明の第８の実施の形態の水解性の清掃用品８１を示す斜視図であり、図１１（Ｂ）は前記清掃用品８１の基本的な構造を説明する展開斜視図である。
【００９４】
この水解性の清掃用品８１は、保持部８２と清掃部８３を有している。清掃用品８１は、少なくとも１つの清掃用単体８８を有している。図の実施の形態では、２つの清掃用単体８８が重ねられ、清掃用単体８８の上部どうしが水溶性接着剤で接着され、さらに清掃用単体８８が水解紙などの保持材８４で覆われ、この保持材８４が水溶性接着剤によって各清掃用単体８８に接着されている。また清掃部８３では、清掃用単体８８が互いに自由に動くことができる。
【００９５】
図１１（Ｂ）は前記清掃用単体８８の構造を展開して示している。清掃用単体８８は、水解性の外装シート８５に繊維圧縮体８６が収納されたものである。外装シート８５は、図１５（Ａ）に示す縒り紐４Ａを形成する水解性シート８と同じものであり、繊維交絡不織布である。外装シート８５を構成する繊維交絡不織布の構成や繊維の組成などの好ましい範囲は、前記水解性シート８と同じである。
【００９６】
繊維圧縮体８６はシート状（プレート状）であり、複数枚が重ねられて外装シート８５内に収納されている。繊維圧縮体８６は繊維長が２０ｍｍ以下の水で分散可能な繊維を積層して圧縮したものである。繊維はパルプ繊維などの天然繊維やレーヨン繊維などの再生セルロース繊維である。繊維圧縮体８６は圧縮された状態でセルロース系繊維の水素結合力と、圧縮による繊維間の機械的結合力によりシート形状を維持できる。また、繊維間を水溶性接着剤で接合することも可能である。この場合に、ＰＥＴ繊維、ＰＰ繊維、ＰＥ繊維、ナイロン繊維などの合成樹脂繊維を含んでもよい。ただし、繊維圧縮体８６は生分解性繊維のみで形成されることが好ましい。
【００９７】
例えば、繊維圧縮体８６はパルプ繊維のみで形成される。圧縮時の圧力は図３に示した繊維圧縮体１１および図５（Ａ）に示した繊維圧縮体２１と同じであり、圧縮時間は１〜５秒程度である。この圧縮は常温で行われるが、加熱し圧縮してもよい。さらに水分をスプレー等で与えた状態で加熱し加圧することにより、繊維間の水素結合力をさらに強くすることが可能である。
【００９８】
繊維圧縮体８６は繊維長が２０ｍｍ以下の繊維で、好ましくはパルプ繊維などで形成されているため、水洗トイレット内などに廃棄されたときに、比較的短い時間で繊維がばらばらに分解する。よって繊維圧縮体８６の大きさは清掃用品の形状に応じて任意に設定できる。ただし、水中において繊維圧縮体８６が短時間で分解できるためには、個々の繊維圧縮体８６がその自重の３００％の水分を含んだときに、繊維圧縮体８６の体積が２倍以上に膨潤することが好ましい。また１個の繊維圧縮体８６が水解する時間（測定方法は前述の通り）は、７００秒以下であることが好ましく、さらには６００秒以下が好ましく、さらに好ましくは３００秒以下である。また、１つの清掃用品８１に使用されている繊維圧縮体８６の質量の合計は２０ｇ以下が好ましい。２０ｇは、トイレットペーパ９ｍ分に相当し、通常の水洗トイレットにおいて、配管の詰まりが生じにくい範囲である。
【００９９】
また繊維圧縮体８６に、洗浄剤、研磨剤、抗菌剤、香料などを含ませることが可能である。
【０１００】
図１１（Ｂ）に示すように、展開した長方形の外装シート８５の上に複数枚の繊維圧縮体８６を重ねて配置し、外装シート８５を仮想線Ｌの部分で折り曲げる。そして、繊維圧縮体８６を挟まないようにして、外装シート８５の長辺側の側縁部８５ａどうしを水溶性接着剤で接着する。さらに短辺側の端縁部８５ｂどうしを水溶性接着剤で接着する。水溶性接着剤による接着に代えて、あるいは水溶性接着剤による接着とともに、前記側縁部８５ａどうしおよび端縁部８５ｂどうしを重ねて加圧し、または加熱且つ加圧し、外装シート８５の水素結合力および機械的結合力により、接合してもよい。
【０１０１】
図１１（Ａ）に示す清掃用品８１は、外装シート８５を仮想線Ｌの部分で折った折り部８５ｃが下に向けられた状態で、端縁部８５ｂを含む所定幅の範囲で、清掃用単体８８どうしが水溶性接着剤で接着され、さらに保持材８４が接着固定される。
【０１０２】
清掃用品８１は、保持部８２が、図１に示すホルダ１２０の支持部１２２と押さえ部１２３との間に挟持されて保持される。清掃用品８１の清掃部８３を便器などの被清掃部に摺動させると、外装シート８５によって汚れを除去できる。清掃部８３の側面は平坦であるため、この清掃部８３の側面を被清掃部に摺動させることにより、広い面積の清掃が可能である。外装シート８５は繊維交絡不織布で形成されているため、被清掃部を擦るときに外装シート８５に破れが生じにくい。清掃中に水分が与えられると、外装シート８５内の繊維圧縮体８６が膨張し、弾性を呈するようになるため、外装シート８５で被清掃部を適度な圧力で擦ることができる。
【０１０３】
保持材８４はパルプ繊維を抄紙した水解紙、またはパルプ繊維が抄紙されて水溶性接着剤で繊維接合された水解紙などであるため、使用後に清掃用品８１が水中に廃棄されると保持材８４による保持力が直ちに解除されて、清掃用単体８８が互いに独立する。さらに水中で、外装シート８５の側縁部８５ａどうしの接着および端縁部８５ｂどうしの接着が解除され、外装シート８５と繊維圧縮体８６とが分離し、外装シート８５と繊維圧縮体８６が独立してそれぞれ繊維に分解される。
【０１０４】
図１２ないし図１４に示す実施の形態では、清掃部が、シート状の繊維圧縮体９０と紐体４とで構成されている。
【０１０５】
シート状の繊維圧縮体９０は、図１１に示した繊維圧縮体８６と同様に、繊維長が２０ｍｍ以下の繊維が積層されて圧縮されシート状とされたものであり、好ましくはパルプ繊維のみで形成される。このシート状の繊維圧縮体９０は、図１５（Ｂ）などに示す水解紙９（目付けが１０〜３０ｇ／ｍ２程度）に比べて、繊維目付けが十分に大きいものであり、繊維圧縮体９０の目付けは５００〜１０００ｇ／ｍ２程度である。シート状の繊維圧縮体９０は、目付けが大きく密度も高く剛性が高いため、清掃部に紐体４と共に配置すると、剛性の高いシート状の繊維圧縮体９０で便器などの被清掃部の表面に付着した汚れを除去しやすく、さらに紐体４が比較的自由に変形して被清掃部の広い範囲を拭き取ることができる。また、紐体４によって便器の隅部の清掃も容易になる。
【０１０６】
使用後に水洗トイレット内に廃棄すると、シート状の繊維圧縮体９０は比較的短時間のうちに、パルプ繊維に分解される。
【０１０７】
図１２に示す第９の実施の形態の水解性の清掃用品９１では、複数枚（例えば５〜２０枚程度）のシート状の繊維圧縮体９０が重ねられた状態で、その周囲に複数の紐体４が配置されている。保持部９２において、繊維圧縮体９０と紐体４が水溶性接着剤で接着され、さらに周囲に水解紙などで形成された保持材４４が巻かれて接着されている。清掃部９３では、個々のシート状の繊維圧縮体９０が互いに独立し、さらに紐体４も独立している。また、紐体４の切断端面４ｅが清掃部９３の先端に向けられている。この清掃用品９１を保持するホルダは、図１に示す支持部１２２と押さえ部１２３が平面形状ではなく、支持部１２２と押さえ部１２３の対向面が円筒形状であり、前記保持部９２が円筒形の支持部１２２と押さえ部１２３とで挟持される。
【０１０８】
この清掃用品９１は、清掃部９３の先部を被清掃部に押し付けて摺動すると、シート状の繊維圧縮体９０の端面で被清掃部が擦られ、さらに個々の紐体４が広がって、被清掃部の広い範囲を清掃でき、また紐体４によって便器などの隅部も清掃できる。この清掃用品９１においても、図８に示す紐体４の折曲部４ｆが清掃部９３に位置する構造とすることが可能である。
【０１０９】
図１３に示す第１０の実施の形態の水解性の清掃用品１０１は、清掃用品１０１とほぼ同じ大きさの水解性のシート状の繊維圧縮体９０が１枚あるいは複数枚重ねて使用されている。複数の紐体４はループ状に形成され、ループ部４ｈが、シート状の繊維圧縮体９０の下辺９０ａを囲むように配置されている。各紐体４の切断端面４ｇは、シート状の繊維圧縮体９０の上辺９０ｂに一致するように組み合わされて、紐体４の切断端面４ｇの付近がシート状の繊維圧縮体９０の両面に接着され、さらに周囲に保持材４４が巻かれて接着されて、扁平な形状の保持部１０２が形成されている。また清掃部１０３では、個々の紐体４が互いに独立して動くことができ、またシート状の繊維圧縮体９０も独立して動くことができる。
【０１１０】
この清掃用品１０１は、被清掃部に対して清掃部１０３を図１３に示すＹ方向へ摺動させることにより、シート状の繊維圧縮体９０の下辺９０ａを被清掃部に擦りつけることができる。さらに前記Ｙ方向と直交するＸ方向へ摺動すると、それぞれの紐体４のループ部４ｈで被清掃部を清掃することができる。
【０１１１】
図１４に示す第１１の実施の形態の水解性の清掃用品１１１は、長方形の前記水解性のシート状の繊維圧縮体９０が複数枚重ねられ、その両側方に複数の紐体４が配置されて、シート状の繊維圧縮体９０の上部と紐体４の上部に保持材４４が巻かれて接着され、扁平な形状の保持部１１２が形成されている。清掃部１１３には、切断端面４ｅを下に向けた複数の紐体４と繊維圧縮体９０とが互いに独立して位置している。
【０１１２】
この清掃用品１１１も、シート状の繊維圧縮体９０と紐体４とで拭き取りを行うことができる。なお、シート状の繊維圧縮体９０の両側方に位置する紐体４は、図８に示す折曲部４ｆや図９に示すループ部４ｈが下に向けられたものであってもよい。
【図面の簡単な説明】
【０１１３】
【図１】本発明の水解性の清掃用品がホルダに保持された状態を示す斜視図、
【図２】（Ａ）（Ｂ）は第１の実施の形態の水解性の清掃用品を構成する繊維圧縮体の製造方法を示す斜視図、
【図３】第１の実施の形態の水解性の清掃用品を構成する繊維圧縮体の斜視図、
【図４】繊維圧縮体を切断した第１の実施の形態の水解性の清掃用品を示す斜視図、
【図５】（Ａ）は、第２の実施の形態の水解性の清掃用品を構成する繊維圧縮体の斜視図、（Ｂ）は、繊維圧縮体を切断した第２の実施の形態の水解性の清掃用品を示す斜視図、
【図６】第３の実施の形態の水解性の清掃用品を示す斜視図、
【図７】第４の実施の形態の水解性の清掃用品を示す斜視図、
【図８】第５の実施の形態の水解性の清掃用品を示す斜視図、
【図９】第６の実施の形態の水解性の清掃用品を示す斜視図、
【図１０】第７の実施の形態の水解性の清掃用品を示す斜視図、
【図１１】（Ａ）は、第８の実施の形態の水解性の清掃用品を示す斜視図、（Ｂ）は、清掃用単品を展開した斜視図、
【図１２】第９の実施の形態の水解性の清掃用品を示す斜視図、
【図１３】第１０の実施の形態の水解性の清掃用品を示す斜視図、
【図１４】第１１の実施の形態の水解性の清掃用品を示す斜視図、
【図１５】（Ａ）（Ｂ）（Ｃ）は、紐体を形成するための縒り紐を構造別に説明する説明図、
【符号の説明】
【０１１４】
１  清掃用品
２  保持側端部
３  清掃側端部
４  紐体
４Ａ，４Ｂ，４Ｃ  縒り紐
４ａ  ループ部
４ｂ  切断端面
４ｃ  ループ部
４ｄ  折曲部
４ｅ  切断端面
４ｆ  折曲部
４ｇ  切断端面
４ｈ  ループ部
８  水解性シート
９  水解紙
１０  筒状体
１１  繊維圧縮体
２１  繊維圧縮体
２３  保持側端部
２４  清掃側端部
３１  清掃用品
３２  保持側端部
３３  清掃側端部
３４  圧縮部
３５  非圧縮部
４０  繊維圧縮体
４１，５１，６１  清掃用品
４２，５２，６２  保持部
４３，５３，６３  清掃部
４４  保持材
７０  繊維圧縮体
７１  清掃用品
７０ｂ  保持部
８１  清掃用品
８２  保持部
８３  清掃部
８４  保持材
８５  水解性シート
８６  繊維圧縮体
８８  清掃用単体
９１，１０１，１１１  清掃用品
９２，１０２，１１２  保持部
９３，１０３，１１３  清掃部
１２０  ホルダ
１２２  支持部
１２３  押さえ部
【図１】
2006314617.tif 000003
【図２】
2006314617.tif 000004
【図３】
2006314617.tif 000005
【図４】
2006314617.tif 000006
【図５】
2006314617.tif 000007
【図６】
2006314617.tif 000008
【図７】
2006314617.tif 000009
【図８】
2006314617.tif 000010
【図９】
2006314617.tif 000011
【図１０】
2006314617.tif 000012
【図１１】
2006314617.tif 000013
【図１２】
2006314617.tif 000014
【図１３】
2006314617.tif 000015
【図１４】
2006314617.tif 000016
【図１５】
2006314617.tif 000017